(57)【要約】【課題】スライダーバーがコンテンツに存在する場合に、ユーザがモード切換えをする煩わしさがなく、リモコンによって快適に操作をすることが可能となる。【解決手段】テレビ画面にコンテンツを表示する第１の表示制御手段７１と、前記コンテンツ内に存在する次の選択対象情報を得て、この情報がスライダーバーを使用した数値入力を示すＨＴＭＬ文書の要素を含む情報であるか否かを検出する第１の検出手段７４と、検出結果が前記要素を含む場合には、表示されたスライダーを操作するポインタ図形を表示し、前記要素を含まない場合には、次の選択対象情報をフォーカス表示する第２の表示制御手段７２とを具備する。【選択図】図１
2015197895.tif 000002
【特許請求の範囲】
【請求項１】
情報を表示する表示部にコンテンツを表示する第１の表示制御手段と、
前記コンテンツ内に存在する選択対象情報を選択するためのキーの操作に応じて次にフォーカス表示する選択対象情報を得て、この情報がスライダーバーを使用した数値入力を示すＨＴＭＬ文書の要素を含む情報であるか否かを検出する第１の検出手段と、
検出結果が前記要素を含む場合には、表示されたスライダーを操作するポインタ図形を表示し、前記要素を含まない場合には、次の選択対象情報をフォーカス表示する第２の表示制御手段と、
前記ポインタ図形がスライダーバーの操作エリアを外れたか否か検出する第２の検出手段と、
前記操作エリアから外れるまではポインタ図形を表示する第３の表示制御手段と
を具備することを特徴とする表示制御装置。
【請求項２】
前記第２の検出手段が操作エリアから外れたことを検出した場合には、前記第２の表示制御手段による処理へ移行することを特徴とする請求項１に記載の表示制御装置。
【請求項３】
キーは十字キーであることを特徴とする請求項１または２に記載の表示制御装置。
【請求項４】
前記第２の表示制御手段が、ポインタ図形を表示している場合に、決定キーの操作がなされると、ポインタ図形の位置情報に基づき数値を入力情報として取り込む入力取込手段を備えていることを特徴とする請求項１乃至３のいずれか１項に記載の表示制御装置。
【請求項５】
コンピュータにより表示部に表示を行う表示制御装置の前記コンピュータを、
情報を表示する表示部にコンテンツを表示する第１の表示制御手段、
前記コンテンツ内に存在する選択対象情報を選択するためのキーの操作に応じて次にフォーカス表示する選択対象情報を得て、この情報がスライダーバーを使用した数値入力を示すＨＴＭＬ文書の要素を含む情報であるか否かを検出する第１の検出手段、
検出結果が前記要素を含む場合には、表示されたスライダーを操作するポインタ図形を表示し、前記要素を含まない場合には、次の選択対象情報をフォーカス表示する第２の表示制御手段、
前記ポインタ図形がスライダーバーの操作エリアを外れたか否か検出する第２の検出手段、
前記操作エリアから外れるまではポインタ図形を表示する第３の表示制御手段
として機能させることを特徴とする表示制御用プログラム。
【請求項６】
前記第２の検出手段が操作エリアから外れたことを検出した場合には、前記第２の表示制御手段による処理へ移行することを特徴とする請求項５に記載の表示制御用プログラム。
【請求項７】
キーは十字キーであることを特徴とする請求項５または６に記載の表示制御用プログラム。
【請求項８】
更に、コンピュータを、前記第２の表示制御手段が、ポインタ図形を表示している場合に、決定キーの操作がなされると、ポインタ図形の位置情報に基づき数値を入力情報として取り込む入力取込手段
として機能させることを特徴とする請求項５乃至７のいずれか１項に記載の表示制御用プログラム。
【発明の詳細な説明】
【技術分野】
【０００１】
この発明はウェブページなどのコンテンツを表示することが可能な表示制御装置及びその際に用いることのできる表示制御用プログラムに関するものである。特に、スライダーバーを使用した数値入力を示すＨＴＭＬ文書の要素を含む情報により表示が行われる場合に操作性を快適にする、表示制御装置及び表示制御用プログラムに関するものである。
【背景技術】
【０００２】
近年、テレビの多機能化などにより、テレビにウェブページなどのコンテンツを表示することが可能となっている。テレビにおいては、テレビリモコンを操作してウェブページを表示し、例えばポータルサイトからリンク先の所望のウェブページを閲覧するなどの処理が行われる。更に、数値入力を可能とするスライダーバーがコンテンツに存在する場合があり、この場合にもテレビリモコンを用いてスライダーバーの操作を行う必要がある。
【０００３】
テレビのリモコンでは、４つの方向を指示する十字キーなどと称されるキーを操作して、次々にオブジェクトを選択することが行われる。この場合に、選択されたオブジェクトはフォーカス表示される。これに対して、スライダーバーの操作を行う場合にはモードの切換えを行ってマウスポインタなどの表示を行う必要があり、操作性が悪いという問題があった。
【０００４】
従来、十字キーの操作をマウスカーソルとして扱うかアンカーカーソルとして扱うかを、リモコンの操作に基づき信号に基づき２領域のいずれにおけるものであるか判定して決定する表示制御装置、表示制御方法が知られている（特許文献１参照）。
【０００５】
上記の表示制御装置では、領域により判定を行うために、領域が分かれているコンテンツに対応することが可能であるが、数値入力を可能とするスライダーバーがコンテンツに存在する場合には適切に対応することはできない。
【先行技術文献】
【特許文献】
【０００６】
【特許文献１】特開２０００−８９８９３号公報
【発明の概要】
【発明が解決しようとする課題】
【０００７】
本発明は上記のように、数値入力を可能とするスライダーバーがコンテンツに存在する場合の問題点に鑑みてなされたもので、その目的は、スライダーバーがコンテンツに存在する場合に、ユーザがモード切換えをする煩わしさがなく、リモコンによって快適に操作をすることが可能なテレビ表示制御装置及びテレビ表示制御用プログラムを提供することである。
【課題を解決するための手段】
【０００８】
本発明に係る表示制御装置は、情報を表示する表示部にコンテンツを表示する第１の表示制御手段と、前記コンテンツ内に存在する選択対象情報を選択するためのキーの操作に応じて次にフォーカス表示する選択対象情報を得て、この情報がスライダーバーを使用した数値入力を示すＨＴＭＬ文書の要素を含む情報であるか否かを検出する第１の検出手段と、検出結果が前記要素を含む場合には、表示されたスライダーを操作するポインタ図形を表示し、前記要素を含まない場合には、次の選択対象情報をフォーカス表示する第２の表示制御手段と、前記ポインタ図形がスライダーバーの操作エリアを外れたか否か検出する第２の検出手段と、前記操作エリアから外れるまではポインタ図形を表示する第３の表示制御手段とを具備することを特徴とする。
【０００９】
本発明に係る表示制御装置では、前記第２の検出手段が操作エリアから外れたことを検出した場合には、前記第２の表示制御手段による処理へ移行することを特徴とする。
【００１０】
本発明に係る表示制御装置では、キーは十字キーであることを特徴とする。
【００１１】
本発明に係る表示制御装置では、前記第２の表示制御手段が、ポインタ図形を表示している場合に、決定キーの操作がなされると、ポインタ図形の位置情報に基づき数値を入力情報として取り込む入力取込手段を備えていることを特徴とする。
【００１２】
本発明に係る表示制御用プログラムは、コンピュータにより表示部に表示を行う表示制御装置の前記コンピュータを、情報を表示する表示部にコンテンツを表示する第１の表示制御手段、前記コンテンツ内に存在する選択対象情報を選択するためのキーの操作に応じて次にフォーカス表示する選択対象情報を得て、この情報がスライダーバーを使用した数値入力を示すＨＴＭＬ文書の要素を含む情報であるか否かを検出する第１の検出手段、検出結果が前記要素を含む場合には、表示されたスライダーを操作するポインタ図形を表示し、前記要素を含まない場合には、次の選択対象情報をフォーカス表示する第２の表示制御手段、前記ポインタ図形がスライダーバーの操作エリアを外れたか否か検出する第２の検出手段、前記操作エリアから外れるまではポインタ図形を表示する第３の表示制御手段として機能させることを特徴とする。
【００１３】
本発明に係る表示制御用プログラムは、前記第２の検出手段が操作エリアから外れたことを検出した場合には、前記第２の表示制御手段による処理へ移行することを特徴とする。
【００１４】
本発明に係る表示制御用プログラムでは、キーは十字キーであることを特徴とする。
【００１５】
本発明に係る表示制御用プログラムでは、更に、コンピュータを、前記第２の表示制御手段が、ポインタ図形を表示している場合に、決定キーの操作がなされると、ポインタ図形の位置情報に基づき数値を入力情報として取り込む入力取込手段として機能させることを特徴とする。
【発明の効果】
【００１６】
本発明によれば、スライダーバーを使用した数値入力を示すＨＴＭＬ文書の要素を含む情報であるか否かを検出し、検出結果が前記要素を含む場合には、表示されたスライダーを操作するポインタ図形を表示し、前記要素を含まない場合には、次の選択対象情報をフォーカス表示するので、スライダーバーがコンテンツに存在する場合に、ユーザがフォーカス移動モードとマウスポインタモードのモード切換えをする煩わしさがなく、リモコンによって快適に操作をすることが可能である。
【図面の簡単な説明】
【００１７】
【図１】本発明の表示制御装置の第１の実施形態の構成を示すブロック図。
【図２】本発明の表示制御装置の第１の実施形態の要部構成を示すブロック図。
【図３】本発明の表示制御装置の実施形態の動作を説明するためのフローチャート。
【図４】本発明の表示制御装置の実施形態の表示モード自動切換動作を説明するための図。
【図５】本発明の表示制御装置の第２の実施形態の構成を示すブロック図。
【発明を実施するための形態】
【００１８】
以下添付図面を参照して本発明である表示制御装置及び表示制御用プログラムの実施形態を説明する。各図において同一の構成要素には同一の符号を付して重複する説明を省略する。第１の実施形態に係る表示制御装置は、図１に示すように、テレビ１０と、このテレビ１０に外付けされるコンピュータであるＨＤＭＩドングル２０により構成される。
【００１９】
ＨＤＭＩドングル２０は、テレビ１０のＨＤＭＩ端子に接続され、映像データをテレビ１０へ供給するものであり、図２に示すように構成することができる。ＨＤＭＩドングル２０は、プロセッサ２１に、ｅＭＭＣ（embedded Multi Media Card ）により構成することができる外部記憶装置２１とＤＤＲ(Double-Data-Rate Synchronous Dynamic Random Access Memory) ３により構成することができる主記憶装置２２とを有する記憶装置２２が接続されており、プロセッサ２１が記憶装置２２に記憶されたプログラムを用いて処理を行うコンピュータの構成を採用している。
【００２０】
プロセッサ２１には、通信インタフェース２３と、ＨＤＭＩインタフェース２４、ＰＭＩＣ（パワーマネージメントＩＣ）２５が接続されている。通信インタフェース２３は、Ｗｉ−Ｆｉ（登録商標）などによる無線ＬＡＮインタフェース及びBluetooth （登録商標）通信のためのインタフェースである。図１においては通信インタフェース２３が図示されず、制御部２１Ａから直接にネットワーク３０に接続されているが、実際には通信インタフェース２３を介してネットワーク３０に接続されている。また、ネットワーク３０には、ウェブページを提供する複数のサーバ４０が接続されている。ＨＤＭＩインタフェース２４は、ＨＤＭＩケーブルによってテレビ１０のＨＤＭＩ端子に接続される。パワーマネージメントＩＣ２５は、ＵＳＢベースとＡＣアダプタ・ベースのどちらからもバッテリ充電が可能となっており、バッテリ充電と電力供給を行う。
【００２１】
図１には、上記図２のＨＤＭＩドングル２０の構成中のプロセッサ２１と記憶装置２２を、制御部２１Ａ、記憶部２２Ａとして示している。制御部２１Ａには、第１の表示制御手段７１、第２の表示制御手段７２、第３の表示制御手段７３、第１の検出手段７４、第２の検出手段７５、入力取込手段７６が備えられている。第１の表示制御手段７１は、テレビ画面にコンテンツを表示するものである。
【００２２】
また、第１の検出手段７４は、上記コンテンツ内に存在する選択対象情報を選択するためのキーの操作に応じて次にフォーカス表示する選択対象情報を得て、この情報がスライダーバーを使用した数値入力を示すＨＴＭＬ文書の要素を含む情報であるか否かを検出するものである。更に、第２の表示制御手段７２は、第１の検出手段７４による検出結果が前記要素を含む場合には、表示されたスライダーを操作するポインタ図形を表示し、前記要素を含まない場合には、次の選択対象情報をフォーカス表示するものである。ここで、ポインタ図形とは、マウスによるマウスポインタなどを意味し、入力手段がマウスに限定されない。また、キーは次にフォーカス表示する選択対象情報の枠を指示するためキーであり、上下左右の方向を指示する方向キーを用いることができる。この方向キーは、テレビリモコン８０に設けられている所謂十字キー８１により構成することができる。また、選択対象情報とは、アンカータグなどのようにリンク先を指定する情報を持ったタグなどを指すものとするが、コンテンツがウェブサイト以外であれば、選択のためのボタンなどであってもよい。
【００２３】
第２の検出手段７５は、上記ポインタ図形がスライダーバーの操作エリアを外れたか否か検出するものである。第３の表示制御手段７３は、上記操作エリアから外れるまではポインタ図形を表示するものである。更に、上記第２の検出手段７５が操作エリアから外れたことを検出した場合には、上記第２の表示制御手段７３による処理へ移行する。また、入力取込手段７６は、上記第２の表示制御手段７２が、ポインタ図形を表示している場合に、テレビリモコン８０に設けられている決定キー８２の操作がなされると、ポインタ図形の位置情報に基づき数値を入力情報として取り込むものである。上記各手段は、プロセッサ２１が記憶装置２２のプログラム（ウェブブラウザ）を実行することにより実現することができる。
【００２４】
テレビ１０の要部構成として、制御部１１、入力切換部１２、映像表示部１３及び受信部１４が示されている。映像表示部１３は、入力切換部１２を介して到来する映像データ（映像信号）を用いて画面に映像を表示する。入力切換部１２は、映像データの入力を切り換えるもので、ここではＨＤＭＩドングル２０とアンテナとの切換えを示すが、これ以外の入力について選択するものであっても良い。
【００２５】
制御部１１は、上記入力切換部１２の切換制御を行うと共に、ＨＤＭＩ−ＣＥＣによりＨＤＭＩドングル２０と接続するインタフェース機能を含むものとする。この実施形態では、テレビリモコン８０の操作により送られる信号をＨＤＭＩ−ＣＥＣによるデータとして送信する。制御部１１は、ＨＤＭＩドングル２０からＨＤＭＩ−ＣＥＣの入力切換のコマンドを受けると、入力切換部１２を制御してＨＤＭＩドングル２０から送られる映像データが選択されて映像表示部１３にて表示が行われるように動作する。
【００２６】
以上のような構成を備える表示システムでは、記憶部２２Ａに、映像表示装置であるテレビ１０に表示すべき映像データを格納しておくことができる。この実施形態では、図３に示されるフローチャートに示すように、制御部２１Ａによる十字キー８１のキー操作に対応する表示の処理動作が行われる。
【００２７】
制御部１１は、電源オンの後にテレビリモコン８０による例えば所定ウェブページの表示要求を受けてＨＤＭＩドングル２０へ所定ウェブページの表示要求を送る。これに応えてＨＤＭＩドングル２０からＨＤＭＩ−ＣＥＣの入力切換のコマンドを受けると、制御部１１は、ＨＤＭＩドングル２０から送られる映像データが選択されて映像表示部１３にて表示されるように入力切換部１２を切り換える。
【００２８】
上記所定ウェブページの表示要求を受けた制御部２１Ａは図３のフローチャートのプログラムをスタートさせて、所定処理により設定されたウェブページへアクセスして、ＨＴＭＬなどにより構成される映像データ（コンテンツ）を得てテレビ１０へ送って表示する（Ｓ１１）。このウェブページのＵＲＬは、テレビリモコン８０によって入力されたものでもよく、また、ＨＤＭＩドングル２０に予め設定しておくことができる。
【００２９】
次に制御部２１Ａは十字キー８１の操作がなされたかを監視しており（Ｓ１２）、十字キー８１の操作を検出すると、マウスポインタ（ポインタ図形）による表示モードであるかを検出する（Ｓ１３）。ここで、マウスポインタによる表示モードでないこと（フォーカスによる表示モードであること）が検出されると、次にフォーカス表示する選択対象情報の情報を取り込み（Ｓ１４）、この情報がスライダーバーを使用した数値入力を示すＨＴＭＬ文書の要素を含む情報であるか否かを検出する（Ｓ１５）。つまり、要素が＜input type="range"＞であるかを検出する。
【００３０】
上記ステップＳ１５においてＮＯとなると、ステップＳ１４において取り込んだ情報に含まれる移動先枠の位置情報と形状情報を用いて、フォーカス表示を移動して表示し（Ｓ１６）、ステップＳ１２へ戻って動作が継続される。
【００３１】
一方、上記ステップＳ１５においてＹＥＳとなると、マウスポインタによる表示モードへ移行し、マウスポインタの移動と所定の場合に数値を取り込む処理を行う（Ｓ１７）。即ち、このステップＳ１７においては、十字キー８１の左右方向キーの操作に応じてマウスポインタを移動し、決定キー８２が操作された場合に、マウスポインタの位置情報に基づき数値を入力情報として取り込む。更に処理を続けるためにステップＳ１３へ戻り操作が続けられる。
【００３２】
上記ステップＳ１３において、マウスポインタによる表示モードであることが検出されると、ポインタ図形であるマウスポインタがスライダーバーの操作エリアを外れたか否かを検出し（Ｓ１８）、ＮＯであればステップ１７へ進んで処理を続ける。また、ステップＳ１８においてＹＥＳへ分岐すると、ステップＳ１４へ進んで、次にフォーカス表示する選択対象情報の取り込み処理を行う。このように、マウスポインタが操作エリアから外れるまではマウスポインタを表示し、操作エリアから外れたことを検出した場合には、フォーカスによる表示処理が実行される。
【００３３】
上記の処理に対応する表示切換を、図４を参照して説明する。当初は、図４（ａ）に表示されるようなコンテンツのが表示されていたものとする。そして、枠Ｐ１がフォーカス表示されている場合において、十字キー８１の下方向キーが操作されると、次にフォーカスすべき選択対象情報として、表示されているスライダーＰ２の情報が取得される。
【００３４】
スライダーＰ２の情報は、スライダーバーを使用した数値入力を示すＨＴＭＬ文書の要素＜input type="range"＞を含むものであるため、この位置には図４（ｂ）に表示されるようにフォーカス表示に代えてマウスポインタＭＰが表示され、十字キー８１の左右方向キーの操作に応じてマウスポインタＭＰが移動され、決定キー８２が操作された場合に、マウスポインタの位置情報に基づき数値を入力情報として取り込む処理が行われる。このように、本実施形態によればユーザがモード切換えをする煩わしさなく、フォーカス表示モードとマウスポインタの表示モードとが自動的に切り換えられ、テレビリモコン８０によって快適に操作をすることが可能である。
【００３５】
図５には、第２の実施形態に係るテレビ表示制御装置としてのテレビ１０Ａの構成を示す。このテレビ１０Ａは、図１のテレビ１０に、ＨＤＭＩドングル２０により構成されていた制御部２１Ａ、記憶部２２Ａを内蔵したものである。これ以外に、ネットワーク３０と接続するための通信インタフェース３１を備えている。
【００３６】
この構成においては、制御部１１は、電源オンの後にテレビリモコン８０による所定ウェブページの表示要求を受けて制御部２１Ａへ所定ウェブページの表示要求を送る。上記所定ウェブページの表示要求を受けた制御部２１Ａは、図３のフローチャートのプログラムをスタートさせて、所定処理により設定されたウェブページへアクセスして、ＨＴＭＬなどにより構成される映像データを得て制御部１１へ送る。
【００３７】
制御部１１は、制御部２１Ａから送られる映像データが選択されて映像表示部１３にて表示されるように入力切換部１２を切り換えており、ウェブページが映像表示部１３に表示される。この実施形態においても、制御部２１Ａに備えられている、第１の表示制御手段７１、第２の表示制御手段７２、第３の表示制御手段７３、第１の検出手段７４、第２の検出手段７５、入力取込手段７６が上述の如く動作し、ウェブページの表示と、フォーカス表示、更には、移動軌跡の表示がなされる。この第２の実施形態においても、ユーザがモード切換えをする煩わしさなく、フォーカス表示モードとマウスポインタの表示モードとが自動的に切り換えられ、テレビリモコン８０によって快適に操作をすることが可能である。
【００３８】
なお、上記の実施形態においては、表示部をテレビの画面とし、方向キーをテレビリモコンのものを用いて説明したが、これに限定されない。パソコンやタブレット端末などにおいて、方向キーを用いてフォーカス表示を移動させる場合などに本発明は適用可能であり、コンテンツとしては、ウェブページに限るものではない。
【符号の説明】
【００３９】
１０、１０Ａ  テレビ
１１  制御部
１２  入力切換部
１３  映像表示部
１４  受信部
２０  ドングル
２１  プロセッサ
２１Ａ  制御部
２２  記憶装置
２２Ａ  記憶部
２３  通信インタフェース
２４  インタフェース
３０  ネットワーク
３１  通信インタフェース
４０  サーバ
７１  第１の表示制御手段
７２  第２の表示制御手段
７３  第３の表示制御手段
７４  第１の検出手段
７５  第２の検出手段
７６  入力取込手段
８０  テレビリモコン
８１  十字キー
８２  決定キー
【図１】
2015197895.tif 000003
【図２】
2015197895.tif 000004
【図３】
2015197895.tif 000005
【図４】
2015197895.tif 000006
【図５】
2015197895.tif 000007
【手続補正書】
【提出日】平成26年4月24日(2014.4.24)
【手続補正１】
【補正対象書類名】明細書
【補正対象項目名】０００６
【補正方法】変更
【補正の内容】
【０００６】
【特許文献１】特開２０００−８９８９２号公報